(57)【要約】【課題】ドレン排出口に接続するドレンホースとの接続構造を高め同時に、挿入を容易に、且つ、抜け防止も兼ね備えた空気調和機を提供すること。【解決手段】ドレン排出口３に接続するドレンホース１の一端の内周面側に形成した雌ネジ部２と、ドレン排出口の端部に形成した雄ネジ部４を螺着することにより、ドレンホース１をドレン排出口３に容易に接続することができ、接続後にホース本体を引っ張っても容易には外れず、空気調和機の運転時に結露水がスムーズに処理でき、水漏れ等の起こらない安全な空気調和機を提供することができる。【選択図】図１
2006292004.tif 000002
【特許請求の範囲】
【請求項１】
ドレン排出口に接続するドレンホースの一端の内周面側に雌ネジ部を形成し、前記ドレン排出口の端部に前記雌ネジ部と螺着する雄ネジ部を形成したことを特徴とするドレンホース。
【請求項２】
ドレン排出口に接続するドレンホース一端の内部に一体形成した接続筒体の内周面側に雌ネジ部を形成し、前記ドレン排出口の端部に前記雌ネジ部と螺着する雄ネジ部を形成したことを特徴とするドレンホース。
【請求項３】
請求項１または２に記載のドレンホースを備えたことを特徴とする空気調和機。
【発明の詳細な説明】
【技術分野】
【０００１】
本発明は結露水を機外へ排出するドレンホースおよびドレンホースを備えた空気調和機に関するものである。
【背景技術】
【０００２】
従来、この種のドレンホースおよびドレンホースを備えた空気調和機は運転時に発生する結露水をドレンパンに収集、貯溜し、ドレンパンに設けられたドレン排出口から、差し込み接続するための接続筒体を一体的に形成した可撓性を有する蛇腹状のドレンホースを通じて機外へ排出しており、ドレン排出口及びドレンホースは、接続筒体が有するフランジ部を受け入れる環状突条部によって差し込み接続できるようになっている（例えば、特許文献１参照）。
【０００３】
図３は、特許文献１に記載された従来の空気調和機の接続筒体を一体的に形成したドレンホースとドレン排出口の接続部の要部拡大図を示すものである。図３に示すように、ドレンホース１と、接続筒体５と、ドレン排出口３とで構成され、樹脂製のドレンホース１と、ドレンホース１の管端に連結される柔軟質素材製の接続筒体５は、接続筒体５の一端側において外周方向に向かって突出するフランジ部８と、接続筒体５の外周面７を受け入れるドレンホース１の内周面１０及びその開口端側においてフランジ部８を受け入れる環状突条部１１とによって一体的に形成されている。更に、接続筒体５の内周面１２をドレン排出口３の外径とほぼ同径として、接続筒体５を一体的に形成したドレンホース１をドレン排出口３に差し込み接続できる構成となっている。
【特許文献１】特開２００１−２８９３８６号公報
【発明の開示】
【発明が解決しようとする課題】
【０００４】
しかしながら、前記従来の構成では、ドレンホースの管端に連結される柔軟質素材製の接続筒体は、ドレン排出口に接続する時の強度が一般的に弱く、例えばホースの施工に際して、ドレンホースの弛みをなくすためにホース本体を引っ張った時の力が接続筒体に作用すると、接続筒体の勘合部が摩擦力以上の引っ張り力で変形等が生じてしまって、ドレン排出口から接続筒体が外れ、空気調和機の運転時に結露水がスムーズに処理できないという課題を有していた。
【０００５】
本発明は、前記従来の課題を解決するもので、ドレンホースとドレン排出口との簡単な構造で接続強度を強化して、施行時にホース本体を引っ張っても容易には外れず、空気調和機の運転時に結露水がスムーズに処理できるドレンホースおよびドレンホースを備えた空気調和機を提供することを目的とする。
【課題を解決するための手段】
【０００６】
前記従来の課題を解決するために、本発明の空気調和機は、ドレン排出口に接続するドレンホースの一端の内周面側に雌ネジ部を形成し、ドレン排出口の端部に雌ネジ部と螺着する雄ネジ部を形成したものである。
これによって、挿入時はネジの回転方向に回転させながら挿入・接続し螺着固定されているため接続後の抜き方向に対しては、ドレンホースを回転させない限り軸方向の引張りに対しては機械固定された構造となる。
【発明の効果】
【０００７】
本発明の空気調和機は、ドレンホースをドレン排出口に容易に接続することができ、施
行時にホース本体を引っ張っても容易には外れず、空気調和機の運転時に結露水がスムーズに処理でき、水漏れ等の起こらない安全な空気調和機を提供することができる。
【発明を実施するための最良の形態】
【０００８】
第１の発明はドレン排出口に接続するドレンホースの一端の内周面側に形成した雌ネジ部と、ドレン排出口の端部に形成した雄ネジ部を螺着することにより、ドレンホースをドレン排出口に容易に接続することができ、接続後にホース本体を引っ張っても容易には外れず、空気調和機の運転時に結露水がスムーズに処理でき、水漏れ等の起こらない安全な空気調和機を提供することができる。
【０００９】
第２の発明は、特に、第１の発明のドレンホースと一体形成した接続筒体の内周面側に雌ネジ部を形成し、ドレン排出口の端部に形成した雄ネジ部と螺着することにより、ドレンホースをドレン排出口に容易に接続することができ、接続後にホース本体を引っ張っても容易には外れず、空気調和機の運転時に結露水がスムーズに処理でき、水漏れ等の起こらない安全な空気調和機を提供することができる。
【００１０】
第３の発明は、特に、第１または第２の発明のドレンホースを有することにより、接続後にホース本体を引っ張っても容易には外れず、空気調和機の運転時に結露水がスムーズに処理でき、水漏れ等の起こらない安全な空気調和機を提供することができる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における空気調和機のドレンホースとドレン排出口の要部拡大図を示すものである。
【００１３】
ドレンホース１は、例えばポリエチレン（ＰＥ）・ポリプロピレン（ＰＰ）等のポリオレフィン系樹脂やポリ塩化ビニール樹脂（ＰＶＣ）等の合成樹脂を素材としたブロー成形品であって、軸方向の全長に亘ってほぼ同じ肉厚に形成されて長さは１ｍくらいまでの短いものである。
【００１４】
一方でドレン排出口３は例えば空気調和機などの結露水を受けるドレンパンの一角に設けられスチロール（PS）・ABS等の合成樹脂を素材としたインジェクション成形品であって、ドレン排出口３は成形時に油圧シリンダーなどで加工されるものである。
【００１５】
図１において、ドレンホース１は、ドレン排出口３に接続する一端側の内周面側に、ブロー成形時に雌ネジ部２を形成している。また、ドレンパンのドレン排出口３の端部を成形加工時に油圧シリンダーで形状を雄ネジ部４に形成する。
【００１６】
ドレンホース１をネジ方向に回転させながらドレン排出口３に接続し、内周面側の雌ネジ部２をドレン排出口３の雄ネジ部４に螺着させる。ドレンホース１とドレン排出口３はネジ部の各表面で水密性を確保し、ドレン水を排出するときに接続部から漏水しないよう各内径、外形が構成されている。
【００１７】
以上のように、本実施の形態においてはドレン排出口に接続するドレンホースの一端の内周面側に形成した雌ネジ部と、ドレン排出口の端部に形成した雄ネジ部を螺着することにより、ドレンホースをドレン排出口に容易に接続することができ、接続後にドレンホースの弛みをなくすためにホース本体を引っ張っても容易には外れず、空気調和機の運転時に結露水がスムーズに処理でき、水漏れ等の起こらない安全な空気調和機を提供すること
ができる。
【００１８】
（実施の形態２）
図２は、本発明の第２の実施の形態の空気調和機の接続筒体を一体的に形成したドレンホースとドレン排出口の要部拡大図である。
【００１９】
ここで、ドレンホース１、ドレン排出口３は実施の形態１と同様の素材等で成形されているが、ドレンホース１がブロー成形にて加工された場合には、接続部の寸法ばらつきが大きく、水密性を確保することが必要なドレン排出口３に接続する場合は、間に柔軟質素材製の接続筒体５を間にかますことが必要である。
【００２０】
図２において、接続筒体５はエラストマー樹脂などの成形品であり、成形加工時に内面にネジ加工をして雌ネジ部を形成し、更に一端側の外周方向に向かって突出するフランジ部８を有する。ドレンホース１は、接続筒体５の外周面７を受け入れる内周面１０と、その開口端側において接続筒体５のフランジ部８を受け入れる環状突条部１１とを備え、接続筒体５と一体的に形成されている。また、ドレンパンのドレン排出口３の端部を成形加工時に油圧シリンダーで形状を雄ネジ部４に形成する。
【００２１】
接続筒体５と一体的に形成されたドレンホース１を接続筒体５のネジ方向に回転させながらドレン排出口３に接続し、接続筒体５の内周面側の雌ネジ部６をドレン排出口３の雄ネジ部４に螺着させる。接続筒体５と一体的に形成されたドレンホース１とドレン排出口３はネジ部の各表面で水密性を確保し、ドレン水を排出するときに接続部から漏水しないよう各内径、外形が構成されている。
【００２２】
以上のように、本実施の形態においてはドレンホースと一体形成した接続筒体の内周面側に形成した雌ネジ部と、ドレン排出口の端部に形成した雄ネジ部とを螺着することにより、ドレンホースをドレン排出口に容易に接続することができ、接続後にドレンホースの弛みをなくすためにホース本体を引っ張っても容易には外れず、空気調和機の運転時に結露水がスムーズに処理でき、水漏れ等の起こらない安全な空気調和機を提供することができる。
【産業上の利用可能性】
【００２３】
以上のように、本発明にかかる空気調和機は、ドレンホースとドレン排出口との簡単な構造で接続強度を強化して、結露水がスムーズに処理できるドレンホースの提供が可能となるので、結露水を処理する必要のある除湿機等の用途にも適用できる。
【図面の簡単な説明】
【００２４】
【図１】本発明の実施の形態１における空気調和機のドレンホースとドレン排出口の要部拡大図
【図２】本発明の実施の形態２における空気調和機の接続筒体を一体的に形成したドレンホースとドレン排出口の要部拡大図
【図３】従来の空気調和機の接続筒体を一体的に形成したドレンホースとドレン排出口の要部拡大図
【符号の説明】
【００２５】
１  ドレンホース
２  雌ネジ部（ドレンホース）
３  ドレン排出口
４  雄ネジ部
５  接続筒体
６  雌ネジ部（接続筒体）
７  外周面（接続筒体）
８  フランジ部
１０  内周面（ドレンホース）
１１  環状突条部
１２  内周面（接続筒体）
【図１】
2006292004.tif 000003
【図２】
2006292004.tif 000004
【図３】
2006292004.tif 000005